(57)【要約】【課題】ユーザに十分な快適性を常に提供することが可能な多機能枕を提供する。【解決手段】この多機能枕１は、綿や羽毛、そばがら、プラスチックパイプ等を封入した挿入ユニット２４を収容可能な複数の矩形シート部材２１と、これらの矩形シート部材２１同士を短手方向に連結する連結ファスナー２２，２３とを含む枕材２と、枕材２の手前側の端縁および左側の端縁に設けられ、枕材２を立体的な団塊状態で拘束する面ファスナー３ａ，３ｂとを備えている。【選択図】図２
2007282724.tif 000002
【特許請求の範囲】
【請求項１】
所定の被収容物を収容可能な複数の矩形シート部材と、前記矩形シート部材同士を短手方向に連結する連結部材とを含む枕材と、
前記枕材に設けられ、前記枕材を立体的な団塊状態で拘束する拘束具とを備えたことを特徴とする多機能枕。
【請求項２】
前記拘束具は、前記枕材を、その一端から他端に向けて渦巻き状に巻回した状態で拘束することを特徴とする請求項１に記載の多機能枕。
【請求項３】
前記拘束具は、前記枕材を所定の心材に巻き付けた状態で拘束することを特徴とする請求項１に記載の多機能枕。
【請求項４】
前記連結部材は、前記矩形シート部材の短手方向端部に取り付けられた連結ファスナーを含み、
前記矩形シート部材は、前記連結ファスナー近傍に設けられて前記連結ファスナーを覆い隠すファスナー隠し部を含むことを特徴とする請求項１〜３のいずれか１項に記載の多機能枕。
【請求項５】
前記拘束具は、前記枕材の周縁部近傍に取り付けられる雄型の面ファスナーを含み、
前記枕材の少なくとも表面は、前記雄型の面ファスナーに係合可能な部材により構成されていることを特徴とする請求項１〜４のいずれか１項に記載の多機能枕。
【請求項６】
前記矩形シート部材は、
前記矩形シート部材の長手方向に複数配列されて前記被収容物を収容する収容部と、
前記収容部を開閉する蓋部とを有することを特徴とする請求項１〜５のいずれか１項に記載の多機能枕。
【請求項７】
前記蓋部は、前記収容部の開口近傍に互いに対向して設けられる一対のカバー片を含み、
前記カバー片は、互いに折り重なるように積層されて前記収容部を塞ぐことを特徴とする請求項６に記載の多機能枕。
【請求項８】
所定の被収容物を収容可能な複数の矩形シート部材と、
前記矩形シート部材同士を短手方向に連結する連結部材とを備え、
立体的な団塊状態で拘束されることを特徴とする枕材。
【発明の詳細な説明】
【技術分野】
【０００１】
本発明は、頭部等の身体の一部を支持する多機能枕およびこれに用いる枕材に関するものである。
【背景技術】
【０００２】
従来、例えばベッドや床に寝そべったユーザの頭部等を無理なく支持するための枕が知られている。このような従来の枕では、その大きさ（ボリューム）や硬さ、形状等の、いわゆる枕の属性（特徴点）が枕毎にほぼ固定的に設定されており、ユーザは、自分に適した属性の枕を選択して購入するようになっていた。
【０００３】
なお、このような枕について本発明に関連する先行特許文献は見当たらなかった。
【発明の開示】
【発明が解決しようとする課題】
【０００４】
しかしながら、上記従来の枕では、予め設定されている枕の属性を大きく変化させるのが困難である。したがって、例えば旅先等で普段使い慣れていない枕を使用する必要が生じた場合に、その枕の属性をユーザの好みに適合させ難いため、ユーザが快眠（深眠）を得るのが困難であるという不都合があった。また、例えば就寝時に使用する枕をＴＶ観賞時に使用する場合に、その枕の属性をユーザの現状の姿勢に適合させ難いため、ユーザが快適な姿勢を得るのが困難であるという不都合があった。これにより、ユーザへの適応力を向上させるのが困難であるので、ユーザに十分な快適性を常時提供するのが困難であるという問題点があった。
【０００５】
この発明は、上記のような課題を解決するためになされたものであり、ユーザに十分な快適性を常に提供することが可能な多機能枕およびこれに用いる枕材を提供することを目的とする。
【課題を解決するための手段】
【０００６】
上記目的を達成するために、この発明の請求項１に記載の多機能枕は、所定の被収容物を収容可能な複数の矩形シート部材と、前記矩形シート部材同士を短手方向に連結する連結部材とを含む枕材と、前記枕材に設けられ、前記枕材を立体的な団塊状態で拘束する拘束具とを備えたことを特徴とする。
【０００７】
この請求項１に記載の多機能枕では、上記のように、被収容物を収容可能な矩形シート部材同士を連結する連結部材を設けることによって、連結部材を用いた連結動作だけで枕材の構成要素としての矩形シート部材の総数を容易に変化させることができるので、容易に枕材の大きさ（ボリューム）を変化させることができる。さらに、この枕材を立体的な団塊状態で拘束する拘束具を設けることによって、拘束された枕材の大きさを種々に変化させることができるとともに、拘束具による枕材の拘束強さを調整することで枕の硬さを、拘束具による枕材の拘束部位を変えることで枕の形状を種々に変化させることができる。このことから、枕の属性（大きさ、硬さ、形状等）を大きく変化させることができる。したがって、例えば旅先等で普段使い慣れていない枕を使用する必要が生じた場合に、その枕の属性をユーザの好みに容易に適合させることができるため、ユーザが快眠（深眠）を得ることができる。また、例えば就寝時に使用する枕をＴＶ観賞時に使用する場合に、その枕の属性をユーザの現状の姿勢に容易に適合させることができるため、ユーザが快適な姿勢を得ることができる。これにより、ユーザへの適応力を向上させることができるので、ユーザに十分な快適性を常に提供することができる。
【０００８】
上記請求項１に記載の多機能枕において、前記拘束具は、前記枕材を、その一端から他端に向けて渦巻き状に巻回した状態で拘束するように構成されていてもよい（請求項２）。
【０００９】
このように構成すれば、枕材を密に巻回して拘束具により固く拘束することで、略円柱状で比較的小さく硬い枕を得ることができる一方、枕材を疎に巻回して拘束具により緩く拘束することで、略円柱状で比較的大きく軟らかい枕を得ることができる。これにより、枕の大きさや硬さを容易に変化させることができる。
【００１０】
上記請求項１に記載の多機能枕において、前記拘束具は、前記枕材を所定の心材に巻き付けた状態で拘束するように構成されていてもよい（請求項３）。
【００１１】
このように構成すれば、例えば心材として既製品の枕等を用いた場合、枕材を既製枕に固く巻き付けて拘束具で拘束することで、比較的小さく硬い枕を得ることができる一方、枕材を既製枕に緩く巻き付けて拘束具で拘束することで、比較的大きく軟らかい枕を得ることができる。これにより、枕の大きさや硬さを容易に変化させることができる。
【００１２】
上記請求項１〜３のいずれか１項に記載の多機能枕において、好ましくは、前記連結部材は、前記矩形シート部材の短手方向端部に取り付けられた連結ファスナーを含み、前記矩形シート部材は、前記連結ファスナー近傍に設けられて前記連結ファスナーを覆い隠すファスナー隠し部を含む（請求項４）。
【００１３】
このように、矩形シート部材の短手方向端部に連結ファスナーを取り付けることによって、矩形シート部材同士の連結およびその連結状態の解除を容易に行うことができる。また、矩形シート部材に連結ファスナーを覆い隠すファスナー隠し部を設けることによって、ファスナー隠し部により連結ファスナーの露出を抑制することができるので、枕の使用時にユーザが連結ファスナーに接触して異物感を感じるのを低減することができる。これにより、ユーザに優れた快適性を提供するとともに、ユーザの安全性を十分に確保することができる。
【００１４】
上記請求項１〜４のいずれか１項に記載の多機能枕において、好ましくは、前記拘束具は、前記枕材の周縁部近傍に取り付けられる雄型の面ファスナーを含み、前記枕材の少なくとも表面は、前記雄型の面ファスナーに係合可能な部材により構成されている（請求項５）。
【００１５】
このように構成すれば、面ファスナーによりワンタッチで枕材を拘束することができる。また、枕材の表面を雄型の面ファスナーと係合可能な部材で構成することによって、枕材に雌型の面ファスナーを取り付けることなく、雄型の面ファスナーを枕材の任意の部位に係合させることができるので、部品点数の増加を抑制しながら、枕材を拘束して得られる枕の属性を種々に変化させることができる。
【００１６】
上記請求項１〜５のいずれか１項に記載の多機能枕において、好ましくは、前記矩形シート部材は、前記矩形シート部材の長手方向に複数配列されて前記被収容物を収容する収容部と、前記収容部を開閉する蓋部とを有する（請求項６）。
【００１７】
このように、収容部を開閉する蓋部を設けることによって、収容部に対する被収容物の出し入れを容易に行うことができるので、矩形シート部材に収容される被収容物の種類や容積を容易に変化させることができる。これにより、枕の属性や機能性を容易に調整することができる。また、収容部を矩形シート部材の長手方向に複数配列することによって、各収容部に収容される被収容物の種類や容積を各々個別に変化させることができるので、ユーザへの適応力にさらに優れた枕を提供することができる。
【００１８】
この場合、好ましくは、前記蓋部は、前記収容部の開口近傍に互いに対向して設けられる一対のカバー片を含み、前記カバー片は、互いに折り重なるように積層されて前記収容部を塞ぐ（請求項７）。
【００１９】
この請求項７の構成によれば、ファスナー等の開閉部材を収容部の開口に設けることなく、収容部の開閉を行うことができるので、枕の使用時にユーザが開閉部材に接触して異物感を感じるのを低減することができる。これにより、ユーザに優れた快適性を提供するとともに、ユーザの安全性を十分に確保することができる。
【００２０】
この発明の請求項８に記載の枕材は、所定の被収容物を収容可能な複数の矩形シート部材と、前記矩形シート部材同士を短手方向に連結する連結部材とを備え、立体的な団塊状態で形状維持（拘束）されることを特徴とする。
【００２１】
この請求項８に記載の枕材では、上記のように、被収容物を収容可能な矩形シート部材同士を連結する連結部材を設けることによって、連結部材を用いた連結動作だけで枕材の構成要素としての矩形シート部材の総数を容易に変化させることができるので、容易に枕材の大きさ（ボリューム）を変化させることができる。さらに、この枕材を立体的な団塊状態で拘束することによって、拘束された枕材の大きさを種々に変化させることができるとともに、枕材の拘束強さを調整することで枕の硬さを、枕材の拘束部位を変えることで枕の形状を種々に変化させることができる。このことから、枕の属性（大きさ、硬さ、形状等）を大きく変化させることができる。したがって、例えば旅先等で普段使い慣れていない枕を使用する必要が生じた場合に、その枕の属性をユーザの好みに容易に適合させることができるため、ユーザが快眠（深眠）を得ることができる。また、例えば就寝時に使用する枕をＴＶ観賞時に使用する場合に、その枕の属性をユーザの現状の姿勢に容易に適合させることができるため、ユーザが快適な姿勢を得ることができる。これにより、ユーザへの適応力を向上させることができるので、ユーザに十分な快適性を常に提供することができる。
【発明の効果】
【００２２】
この発明の多機能枕およびこれに用いる枕材によれば、枕の属性（大きさ、硬さ、形状等）を大きく変化させることによって、ユーザへの適応力を向上させることができるので、ユーザに十分な快適性を常に提供することができる。
【発明を実施するための最良の形態】
【００２３】
以下、本発明の実施形態を図面に基づいて説明する。
【００２４】
（第１実施形態）
図１は、本発明の第１実施形態による多機能枕の全体構成を示した斜視図であり、図２および図３は、図１に示した多機能枕を広げた状態の斜視図および平面図である。また、図４〜図６は、図３に示した多機能枕の矩形シート部材の構成を説明するための図であり、図７は、図６に示したカバー片を展開した状態の断面図である。まず、図１〜図３を参照して、本発明の第１実施形態による多機能枕１の全体構成について説明する。なお、図１〜図３において、Ｘ−Ｘ方向を前後方向、Ｙ−Ｙ方向を左右方向というものとし、−Ｘ方向を前方向、＋Ｘ方向を後方向、−Ｙを左方向、＋Ｙ方向を右方向として説明する。
【００２５】
本実施形態の多機能枕１は、図１〜図３に示すように、変形自在な略シート状の枕材２と、枕材２の周縁部に取り付けられて枕材２を立体的な団塊状態で拘束する面ファスナー３ａ，３ｂ（図２参照）とを備えている。この多機能枕１は、図２に示すように、シート状の枕材２を、その後端から前端に向けて渦巻き状に巻回した状態で面ファスナー３ａ，３ｂによって拘束（形状維持）されることにより構成されている。上記面ファスナー３ａ，３ｂは、その表面に複数の微細な鉤状フックが設けられた、いわゆる雄型の面ファスナーである。
【００２６】
枕材２は、主として布材からなる７つの矩形シート部材２１により構成されている。この矩形シート部材２１（枕材２）の表面は、上記した雄型の面ファスナー３ａ，３ｂに係合可能な不織布等の材料により構成されている。これにより、枕材２に雌型の面ファスナーを取り付けることなく、面ファスナー３ａ，３ｂを枕材２の任意の部位に係合させることが可能となる。
【００２７】
矩形シート部材２１の短手方向の両端には、図４および図５に示すように、矩形シート部材２１同士を短手方向に連結する一対の連結ファスナー２２，２３が取り付けられている。
【００２８】
また、矩形シート部材２１は、図６に示すように、挿入ユニット２４を収容可能な５つの収容部２１ａと、収容部２１ａを開閉する一対のカバー片２１ｂ，２１ｃと、連結ファスナー２２，２３を覆い隠すファスナー隠し部２１ｄ（図５参照）とを有している。なお、この矩形シート部材２１内に所定間隔を隔ててマグネット等の磁性体を埋め込むことにより、当該多機能枕１をマグネット治療用枕として機能させることも可能である。
【００２９】
収容部２１ａは、矩形シート部材２１を構成する布材の適所を縫い付けて形成される空間部であり、矩形シート部材２１の長手方向に沿って整列配置されている。
【００３０】
カバー片２１ｂ，２１ｃは、収容部２１ａの開口近傍に対向して設けられており、互いに折り重なるように積層して収容部２１ａを塞ぐように構成されている。これらのカバー片２１ｂ，２１ｃは、外力により互いに離間する方向に変形して積層状態が解除されるようになっており、これによって図７に示すように収容部２１ａを開放することが可能なように構成されている。なお、本実施形態の枕材２は、これらのカバー片２１ｂ，２１ｃを渦巻きの内側に位置させた状態で巻回されるようになっている。これにより、多機能枕１において、カバー片２１ｂ，２１ｃが外部に露出するのが防止される。
【００３１】
ファスナー隠し部２１ｄは、図５に示すように、連結ファスナー２２，２３の近傍に位置するように、矩形シート部材２１の短手方向両端部に上下一対ずつ設けられている。
【００３２】
連結ファスナー２２，２３は、それぞれ、テープ２２ａ，２３ａと、エレメント２２ｂ，２３ｂとを備えている。また、連結ファスナー２２は、スライダー２２ｃをさらに備えている。テープ２２ａ，２３ａは、矩形シート部材２１端部の上下一対のファスナー隠し部２１ｄに挟まれた状態で矩形シート部材２１に縫い付け固定されている。エレメント２２ｂ，２３ｂは、テープ２２ａ，２３ａの先端に取り付けられており、スライダー２２ｃを介して互いに係合することにより矩形シート部材２１同士を連結するように構成されている。
【００３３】
挿入ユニット２４は、所定部材を密閉封入可能な袋状を有している。この挿入ユニット２４に封入される所定部材として、例えば綿や羽毛、そばがら、プラスチックパイプ、低反発ウレタンフォーム等のクッション材、あるいは、備長炭等の炭類、氷や冷却剤などが挙げられる。このような異なる部材を封入した種々の挿入ユニット２４を予め用意しておくことにより、多機能枕１の収容部２１ａに収容する挿入ユニット２４を容易に選択して変更することができるので、多機能枕１の機能性を向上させることができる。その結果、ユーザへの適応力を向上させることができる。なお、氷や冷却剤を封入した挿入ユニット２４（いわゆる、氷嚢）を収容部２１ａに収容した場合には、多機能枕１を医療器としての氷枕として機能させることも可能となる。また、多機能枕１の各収容部２１ａに、異なる部材を封入した挿入ユニット２４を様々な組み合わせで収容することによって、多機能枕１の機能性をさらに向上させることも可能である。
【００３４】
面ファスナー３ａは、図２に示すように、枕材２の前側の端縁に図略の両面テープを用いて貼り付けられており、面ファスナー３ｂは、枕材２の左側の端縁に図略の両面テープを用いて貼り付けられている。この面ファスナー３ｂは、枕材２を右方から左方に向けて渦巻状に巻回する場合に、枕材２の表面に係合させて枕材２を立体的な団塊状態で拘束するために設けられている。
【００３５】
このような構成の多機能枕１を組み上げる場合には、まず、矩形シート部材２１の各収容部２１ａに挿入ユニット２４を収容する。すなわち、収容部２１ａを覆う一対のカバー片２１ｂ，２１ｃを、ユーザの手指で互いに離間する方向に変形させて収容部２１ａを開放した後、挿入ユニット２４を収容部２１ａ内に挿入する。そして、互いに離間した一対のカバー片２１ｂ，２１ｃを再び積層させて収容部２１ａを塞ぐことにより挿入ユニット２４の収容が完了する。
【００３６】
次に、７つの矩形シート部材２１を各々に設けられた連結ファスナー２２，２３により連結して略シート状の枕材２を形成する。
【００３７】
そして、上記枕材２の前側の端縁および左側の端縁に両面テープを用いて面ファスナー３ａ，３ｂを貼り付け、枕材２を、その後端から前端に向けて渦巻き状に巻回する。そして、図８に示すように、面ファスナー３ａを枕材２表面の適所に係合させ、枕材２を略円柱形状で拘束することにより多機能枕１を形成する。なお、このとき、面ファスナー３ｂも枕材２の表面に係合しており、枕材２を補助的に拘束している。
【００３８】
また、多機能枕１に具備される挿入ユニット２４を他の挿入ユニット２４に交換する場合には、多機能枕１の面ファスナー３ａ，３ｂによる拘束状態を解除し、多機能枕１を略シート状に広げた後、収容部２１ａに収容されている挿入ユニット２４を差し替えればよい。
【００３９】
第１実施形態では、上記のように、挿入ユニット２４を収容可能な矩形シート部材２１同士を連結する連結ファスナー２２，２３を設けることによって、連結ファスナー２２，２３を用いた連結動作だけで枕材２の構成要素としての矩形シート部材２１の総数を容易に変化させることができるので、容易に枕材２の大きさ（ボリューム）を変化させることができる。さらに、この枕材２を立体的な団塊状態で拘束する面ファスナー３ａ，３ｂを設けることによって、拘束された枕材２（多機能枕１）の大きさを種々に変化させることができるとともに、面ファスナー３ａ，３ｂによる枕材２の拘束強さを調整することで多機能枕１の硬さを、面ファスナー３ａ，３ｂによる枕材２の拘束部位を変えることで多機能枕１の形状を種々に変化させることができる。このことから、多機能枕１の属性（大きさ、硬さ、形状等）を大きく変化させることができる。したがって、例えば就寝時に使用している多機能枕１をＴＶ観賞時に使用する場合に、多機能枕１の属性をユーザの現状の姿勢に容易に適合させることができるため、ユーザが快適な姿勢を得ることができる。これにより、ユーザへの適応力を向上させることができるので、ユーザに十分な快適性を常に提供することができる。
【００４０】
また、第１実施形態では、上記のように、面ファスナー３ａ，３ｂにより、枕材２が、その後端から前端に向けて渦巻き状に巻回した状態で拘束されるように構成することによって、枕材２を密に巻回して面ファスナー３ａ，３ｂにより拘束することで、略円柱状で比較的小さく硬い多機能枕１を得ることができる一方、枕材２を疎に巻回して面ファスナー３ａ，３ｂにより拘束することで、略円柱状で比較的大きく軟らかい多機能枕１を得ることができる。これにより、多機能枕１の大きさや硬さを容易に変化させることができる。
【００４１】
また、第１実施形態では、上記のように、矩形シート部材２１の短手方向の両端に連結ファスナー２２，２３を取り付けることによって、矩形シート部材２１同士の連結およびその連結状態の解除を容易に行うことができる。
【００４２】
また、第１実施形態では、上記のように、矩形シート部材２１に連結ファスナー２２，２３を覆い隠すファスナー隠し部２１ｄを設けることによって、ファスナー隠し部２１ｄにより連結ファスナー２２，２３の露出を抑制することができるので、多機能枕１の使用時にユーザが連結ファスナー２２，２３に接触して異物感を感じるのを低減することができる。これにより、ユーザに優れた快適性を提供するとともに、ユーザの安全性を十分に確保することができる。
【００４３】
また、第１実施形態では、上記のように、枕材２に面ファスナー３ａ，３ｂを取り付けることによって、面ファスナー３ａ，３ｂによりワンタッチで枕材２を拘束することができる。また、枕材２の表面を雄型の面ファスナー３ａ，３ｂと係合可能な部材で構成することによって、枕材２に雌型の面ファスナーを取り付けることなく、雄型の面ファスナー３ａ，３ｂを枕材２の任意の部位に係合させることができるので、部品点数の増加を抑制しながら、枕材２を拘束して形成される多機能枕１の属性を種々に変化させることができる。
【００４４】
また、第１実施形態では、上記のように、収容部２１ａを開閉する一対のカバー片２１ｂ，２１ｃを設けることによって、収容部２１ａに対する挿入ユニット２４の出し入れを容易に行うことができるので、矩形シート部材２１に収容される挿入ユニット２４の種類や容積を容易に変化させることができる。これにより、多機能枕１の属性を容易に調整することができる。
【００４５】
また、第１実施形態では、上記のように、収容部２１ａを矩形シート部材２１の長手方向に複数配列することによって、各収容部２１ａに収容される挿入ユニット２４の種類や容積を各々個別に変化させることができるので、ユーザへの適応力にさらに優れた枕を提供することができる。例えば、各収容部２１ａに収容される挿入ユニット２４の容量を調整して枕面を意図的に平坦な状態にすることによって、ユーザが無理なく寝返りをうてるように構成することができる。また、例えば、図９に示すように、枕上面の略中央の収容部２１ａに収容される挿入ユニット２４（図６参照）の容量を、その周囲の収容部２１ａの挿入ユニット２４の容量よりも少なくなるように調整し、枕上面を意図的にその中央部位が凹んだ形状に形成することによって、ユーザの頭部から頸部までを自然な態様で支持することができるので、ユーザの気道を良好に確保することができる。これにより、いびき等の発生を有効に防止することができるので、ユーザに十分な安眠を提供することができる。
【００４６】
また、第１実施形態では、上記のように、収容部２１ａの開口近傍に互いに対向して設けられる一対のカバー片２１ｂ，２１ｃが、互いに折り重なるように積層されて収容部２１ａを塞ぐように構成することによって、ファスナー等の開閉部材を収容部２１ａの開口に設けることなく、収容部２１ａの開閉を行うことができるので、多機能枕１の使用時にユーザが開閉部材に接触して異物感を感じるのを低減することができる。これにより、ユーザに優れた快適性を提供するとともに、ユーザの安全性を十分に確保することができる。
【００４７】
（第２実施形態）
図１０は、本発明の第２実施形態による多機能枕の全体構成を示した斜視図である。
【００４８】
この第２実施形態の多機能枕１０１は、図１０に示すように、上記第１実施形態とほぼ同様の構成の枕材２を既製品の枕（既製枕という）１００に巻き付けて絞り込み、その状態で面ファスナー３ａ，３ｂにより拘束されることにより構成されている。なお、この場合、枕材２の矩形シート部材２１の収容部２１ａに挿入ユニット２４が収容されていないとしても、多機能枕１０１の大きさ（ボリューム）を十分に確保することが可能である。
【００４９】
上記構成の多機能枕１０１によれば、例えば旅先等で普段使い慣れていない既製枕１００を使用する必要が生じた場合に、その既製枕１００に枕材２を巻き付けて得られた多機能枕１０１の属性をユーザの好みに容易に適合させることができるため、ユーザが快眠（深眠）を得ることができる。これにより、ユーザへの適応力を向上させることができるので、ユーザに十分な快適性を常に提供することができる。その結果、ユーザの健康状態を良好に保つことができる。
【００５０】
第２実施形態では、上記のように、面ファスナー３ａ，３ｂにより、枕材２が既製枕１００に巻き付いた状態で拘束されるように構成することによって、枕材２を既製枕１００に固く巻き付けて面ファスナー３ａ，３ｂで拘束することで、比較的小さく硬い多機能枕１０１を得ることができる一方、枕材２を既製枕１００に緩く巻き付けて面ファスナー３ａ，３ｂで拘束することで、比較的大きく軟らかい多機能枕１０１を得ることができる。これにより、多機能枕１０１の大きさや硬さを容易に変化させることができる。
【００５１】
なお、上記実施形態では、面ファスナー３ａ，３ｂが露出状態となっているが、本発明はこれに限らず、図１１に示すように、面ファスナー３ａ，３ｂを取り付ける矩形シート部材２１の所定部位に予め一対のファスナー隠し２１ｅを設け、該ファスナー隠し２１ｅで面ファスナー３ａ，３ｂを覆い隠すようにしてもよい。これにより、ユーザが感じる異物感をより一層低減することが可能である。
【００５２】
また、上記実施形態では、矩形シート部材２１に均等な大きさの５つの収容部２１ａを設ける例について示したが、本発明はこれに限らず、図１２および図１３に示すように、矩形シート部材２１に収容部２１ａとは異なる大きさの収容部１２１ａおよび２２１ａを設けてもよい。
【００５３】
また、上記実施形態では、面ファスナー３ａ，３ｂを矩形シート部材２１の表面に図略の両面テープで貼り付ける例について示したが、本発明はこれに限らず、面ファスナー３ａ，３ｂを矩形シート部材２１の表面に縫い付け固定してもよい。
【００５４】
また、上記実施形態では、面ファスナー３ａ，３ｂを枕材２の前側の端縁および左側の端縁に設ける例について示したが、本発明はこれに限らず、枕材２の後側の端縁や右側の端縁にも面ファスナーを設けてもよい。
【００５５】
また、上記実施形態では、枕材２に雄型の面ファスナー３ａ，３ｂを取り付け、枕材２の表面を面ファスナー３ａ，３ｂに係合可能な不織布等の部材で構成する例について示したが、本発明はこれに限らず、枕材２の周縁部に雄型の面ファスナー３ａ，３ｂを取り付ける一方、枕材２の適所に雌型の面ファスナーを取り付け、両者を係合させることにより枕材２を拘束する構成であってもよい。
【００５６】
また、上記実施形態では、収容部２１ａを開閉する機構として一対のカバー片２１ｂ，２１ｃを設ける例について示したが、本発明はこれに限らず、カバー片２１ｂ，２１ｃに代えて収容部２１ａの開口近傍にファスナーや面ファスナー等を取り付けてもよい。
【００５７】
また、上記実施形態の多機能枕１に枕カバーを被せて使用することも可能である。すなわち、多機能枕１を構成する各矩形シート部材２１の４隅に予め孔部を形成するとともに、枕カバーの内面４隅に係止紐を取り付ける。そして、枕カバーの係止紐を団塊状態の多機能枕１の適所の孔部に係止させつつ、多機能枕１に枕カバーを取り付ける。これにより、枕カバー内で多機能枕１が移動するのを防止することができる。なお、この場合、矩形シート部材２１に形成した孔部の周囲を十分に補強することが望ましい。
【００５８】
また、本発明の多機能枕は、ユーザの頭部を支持する枕以外に、例えば腰や足首等を支持する枕にも広く適用可能である。また、本発明の多機能枕を、比較的硬く構成した上でユーザの頸部付近を支持すれば、ユーザの気道を容易に確保することができるため、人工呼吸などの応急処置時に好適に使用することが可能である。
【００５９】
また、上記第２実施形態では、心材として既製枕１００を用いたが、本発明はこれに限らず、既製枕１００以外の座布団やクッション、さらには雑誌束等を心材として用いても同様の効果を得ることができる。
【図面の簡単な説明】
【００６０】
【図１】本発明の第１実施形態による多機能枕の全体構成を示した斜視図である。
【図２】図１に示した多機能枕を広げた状態の斜視図である。
【図３】図２に示した多機能枕の平面図である。
【図４】図３に示した多機能枕の矩形シート部材の平面図である。
【図５】図４のＶ−Ｖ線に沿った断面図である。
【図６】図４のＶＩ−ＶＩ線に沿った断面図である。
【図７】図６に示したカバー片を展開した状態の断面図である。
【図８】図１に示した多機能枕の拘束状態を説明するための概略図である。
【図９】図１に示した多機能枕の変形例を示した概略斜視図である。
【図１０】本発明の第２実施形態による多機能枕の全体構成を示した斜視図である。
【図１１】図２に示した多機能枕の枕材の変形例を示した断面図である。
【図１２】図４に示した矩形シード部材の変形例を示した平面図である。
【図１３】図４に示した矩形シート部材の変形例を示した平面図である。
【符号の説明】
【００６１】
１，１０１  多機能枕
２  枕材
３ａ，３ｂ  面ファスナー（拘束具）
２１  矩形シート部材
２１ａ  収容部
２１ｂ，２１ｃ  カバー片（蓋部）
２１ｄ  ファスナー隠し部
２２，２３  連結ファスナー（連結部材）
２４  挿入ユニット（被収容物）
１００  既製枕（心材）
【図１】
2007282724.tif 000003
【図２】
2007282724.tif 000004
【図３】
2007282724.tif 000005
【図４】
2007282724.tif 000006
【図５】
2007282724.tif 000007
【図６】
2007282724.tif 000008
【図７】
2007282724.tif 000009
【図８】
2007282724.tif 000010
【図９】
2007282724.tif 000011
【図１０】
2007282724.tif 000012
【図１１】
2007282724.tif 000013
【図１２】
2007282724.tif 000014
【図１３】
2007282724.tif 000015